(57)【要約】      （修正有）【課題】トンネル内の暗い場所であっても、給水栓の所在を消防隊員等が迅速且つ適確に見つけ出すことを可能とする。【解決手段】消火栓装置は、給水栓に相対した扉前面に給水栓の位置を示す所定の形状と色彩の消防章２４を配置している。消防章２４は、銀色再帰反射シート７０−１の上に、紺色インクによる紺色印刷層７４と赤色インクによる赤色印刷層７２を印刷で形成し、消防隊員の手持ちライトの光が当たると、銀色再帰反射シート７０−１の露出部分７６が強く反射し、また、紺色印刷層７４と赤色印刷層７２の部分も、それぞれを透過した光が裏側の銀色再帰反射シート７０で反射して明るく輝き、消防章２４の色と模様を明確に認識可能とする反射表示が得られる。【選択図】図７
2015154888.tif 000002
【特許請求の範囲】
【請求項１】
装置内部に給水栓を設け、前記装置前面に前記給水栓の存在を示す所定の形状と色彩の消防章を配置した消火栓装置に於いて、
前記消防章は、銀色の再帰反射シートの上に、紺色インクと赤色インクを印刷して形成したことを特徴とする消火栓装置。
【請求項２】
装置内部に給水栓を設け、前記装置前面に前記給水栓の存在を示す所定の形状と色彩の消防章を配置した消火栓装置に於いて、
前記消防章は、紺色の再帰反射シートの上に、銀色インクと赤色インクを印刷して形成したことを特徴とする消火栓装置。
【請求項３】
装置内部に給水栓を設け、前記装置前面に前記給水栓の存在を示す所定の形状と色彩の消防章を配置した消火栓装置に於いて、
前記消防章は、赤色の再帰反射シートの上に、銀色インクと紺色インクを印刷して形成したことを特徴とする消火栓装置。
【請求項４】
請求項１乃至３の何れかに記載の消火栓装置に於いて、前記再帰反射シートは、封入レンズ型反射シート又はプリズム型反射シートであることを特徴とする消火栓装置。
【請求項５】
装置内部に給水栓を設け、前記装置前面に前記給水栓の存在を示す所定の形状と色彩の消防章を配置した消火栓装置に於いて、
前記消防章は、シートの上に、銀色再帰反射インク、紺色再帰反射インク及び赤色再帰反射インクを印刷して形成したことを特徴とする消火栓装置。
【請求項６】
請求項１、２、３又は５の何れかに記載の消火栓装置に於いて、
前記消防章を前記装置の給水栓設置位置に相対した扉の前面に配置したことを特徴とする消火栓装置。
【請求項７】
装置内部に所定の機器を設け、前記機器に相対した装置前面に前記機器の位置を示す所定の形状と複数の色彩をもつ標識を配置した消火栓装置に於いて、
前記標識は、１の色彩の再帰反射シートの上に、他の色彩のインクを印刷して形成したことを特徴とする消火栓装置。
【請求項８】
請求項１、２、３又は７の何れかに記載の消火栓装置に於いて、
前記再帰反射シートの上に印刷したインクは、光を透過可能なインクであることを特徴とする消火栓装置。
【発明の詳細な説明】
【技術分野】
【０００１】
本発明は、火災時に扉を開いてノズル付きホースを引き出して消火すると共に消防隊が使用する給水栓を備えた消火栓装置に関する。
【背景技術】
【０００２】
従来、消火栓装置として、例えば自動車専用道路などのトンネル内には、火災発生時に備えて例えば５０メートル間隔で消火栓装置を設置している。
【０００３】
消火栓装置は、火災を伴う車両事故の発生時に、消火栓扉を開いて放水ノズルを装着したホースを引き出し、筐体内又は扉内に設けている消火栓弁開閉レバーを操作することで消火栓弁を開き、同時にポンプ起動スイッチがレバー開位置でオンし、消火ポンプ設備を起動して放水を行うことができる。
【０００４】
また、消火栓装置には、消防隊が使用する給水栓を設けており、消防隊員は火災が起きている事故現場に近い消火栓装置の給水栓に消防ホースを接続し、ポンプ起動スイッチの操作により消火ポンプを起動し、消火ポンプから供給される消火用水により消火活動を行うようにしている。
【０００５】
トンネル内に設置している消火栓装置には、筐体内に配置した給水栓に相対した給水栓扉の前面に、消防隊に給水栓の場所を示す目印として消防章を表示している。
【０００６】
消防章は、一般的には直径１０センチメートル程度の大きさのものが用いられ、消防吏員服制基準（消防庁告示）では、帽子のき章として、「銀色金属製消防章をモール性金属桜で抱擁する。台地は濃紺とする。形状及び寸法は、図のとおりとする。」と定めている。
【０００７】
また、消火栓装置に給水栓を設けていることを示すために、例えば消火栓扉に縦１０センチメートル、横２５０センチメートルの「給水栓」と表記した給水栓銘板を設けている。
【０００８】
このためトンネル内に５０メートル間隔で設置している消火栓装置に給水栓を設けていることを知っている消防隊員であれば、トンネル内の事故現場に到着したら、近くに設置している消火栓装置の消防章を見つけ、給水栓扉を開いて、その中にある給水栓にホースを接続して消火活動を行うことができる。
【先行技術文献】
【特許文献】
【０００９】
【特許文献１】特開２００９−２７９２９４号公報
【特許文献２】特表２００３−５０４６５８号公報
【発明の概要】
【発明が解決しようとする課題】
【００１０】
しかしながら、トンネル内での車両事故による火災はそれほど高い頻度では起きておらず、消防隊員によっては、トンネル内に５０メートル置きに設置された消火栓装置に設けている給水栓の所在を把握していない場合があり、火災が起きているトンネル内の事故現場に到着した消防隊員は、手持ちライトでトンネル内を照らしながら給水栓の所在を探すことになるが、暗い中で給水栓の所在を示す消防章は見つかりにくく、給水栓を見つけるまでに時間かかかり、消防活動に支障を来たす恐れがある。
【００１１】
また、消火栓装置の消火栓扉に給水栓銘板を設けているが、アクリル製の銘板で白地に赤色蛍光色で文字を表示しており、消防章と同様、見つけづらいという問題がある。また、給水栓銘板を見つけた場合にも、消火栓装置のどの場所に給水栓があるかは、消防章を探してみないと分からず、給水栓を捜すのに手間取る場合もある。これはトンネル消火栓に限らず、ビル、地下街等であっても消防隊員が消防章を探す場合に同様の課題が発生する。
【００１２】
本発明は、消防隊員等が必要とする機器を迅速且つ適確に見つけ出すことを可能とする消火栓装置を提供することを目的とする。
【課題を解決するための手段】
【００１３】
（再帰反射シートを用いた消防章）
装置内部に給水栓を設け、装置前面に前記給水栓の存在を示す所定の形状と色彩の消防章を配置した消火栓装置に於いて、
消防章は、銀色の再帰反射シートの上に、紺色インクと赤色インクを印刷して形成したことを特徴とする。
【００１４】
また本発明の別の形態にあっては、消防章を、紺色の再帰反射シートの上に、銀色インクと赤色インクを印刷して形成し、また、別の形態では、消防章を、赤色の再帰反射シートの上に、銀色インクと紺色インクを印刷して形成しても良い。
【００１５】
ここで、再帰反射シートは、封入レンズ型反射シート又はプリズム型反射シートとする。
【００１６】
（再帰反射インクを用いた消防章）
また、本発明は、装置内部に給水栓を設け、装置前面に前記給水栓の存在を示す所定の形状と色彩の消防章を配置した消火栓装置に於いて、
消防章は、シートの上に、銀色再帰反射インク、紺色再帰反射インク及び赤色再帰反射インクを印刷して形成したことを特徴とする。
【００１７】
（消防章の配置位置）
消火栓装置は、消防章を装置の給水栓設置位置に相対した扉の前面に配置する。
【００１８】
（消火栓装置の標識）
また、本発明は、装置内部に所定の機器を設け、機器に相対した装置前面に機器の位置を示す所定の形状と複数の色彩をもつ標識を配置した消火栓装置に於いて、標識は、１の色彩の再帰反射シートの上に、他の色彩のインクを印刷して形成したことを特徴とする。
【００１９】
この再帰反射シートの上に印刷したインクは、光を透過可能なインクを採用する。
【発明の効果】
【００２０】
（再帰反射シートを用いた消防章の効果）
本発明は、装置内部に給水栓を設け、装置前面に給水栓の存在を示す所定の形状と色彩の消防章を配置した消火栓装置に於いて、消防章は、銀色の再帰反射シートの上に、紺色インクと赤色インクを印刷して形成するようにしたため、消防隊員が手持ちライトでトンネル内を照らしながら給水栓の所在を探している場合、ライトの光が消防章に当ると、消防章の中の銀色の再帰反射シートの部分が強く反射して消防章の形が浮き出して見え、また、紺色インクと赤色インクによる印刷部分も、印刷部分を透過した光が裏側の銀色の再帰反射シートで反射して紺色及び赤色も部分を明るく輝き、消防章の色と模様を明確に認識可能とする反射表示が得られ、暗い中であっても、給水栓の所在を迅速且つ明確に消防隊員等に知らせることを可能とする。
【００２１】
この点は、紺色の再帰反射シートの上に、銀色インクと赤色インクを印刷して形成した消防章、または、赤色の再帰反射シートの上に、銀色インクと紺色インクを印刷して形成した消防章についても、同様に、消防隊員による手持ちライトの光を受けると再帰反射により明るく輝いて給水栓の所在を知らせることを可能とする。
【００２２】
ここで、再帰反射シートの反射率は銀色再帰反射シートが最も大きく、次が赤色再帰反射シート、紺色再帰反射シートの順となり、銀色再帰反射シートを用いた消防章が最も高い視認性が得られる。
【００２３】
また、再帰反射シートには、封入レンズ型反射シートと、それより反射率が約２倍程度と高いプリズム型反射シートとあり、必要に応じて、何れかの再帰反射シートを使用すれば良い。
【００２４】
（再帰反射インクを用いた消防章の効果）
また、本発明は、装置内部に給水栓を設け、装置前面に給水栓の存在を示す所定の形状と色彩の消防章を配置した消火栓装置に於いて、消防章は、シートの上に、銀色再帰反射インク、紺色再帰反射インク及び赤色再帰反射インクを印刷して形成するようにしたため、消防隊員が手持ちライトでトンネル内を照らしながら給水栓の所在を探している場合、ライトの光が消防章に当ると、消防章の中の銀色、紺色及び赤色の再帰反射インクによる印刷部分が反射して明るく輝き、消防章の色と模様を明確に認識可能とする反射表示が得られ、暗いトンネルの中であっても、給水栓の所在を迅速且つ明確に消防隊員等に知らせることを可能とする。
【００２５】
また、再帰反射シートの上に印刷したインクとして、光を透過可能な半透明等の材質を採用することで、消防章のマークに使われる各色を識別でき、消防隊員がより消防章を認識することができる。
【図面の簡単な説明】
【００２６】
【図１】消火栓扉を斜め下向きに開放可能な消火栓装置の実施形態を正面から示した説明図
【図２】図１について消火栓扉を開放して内部構造を示した平面図
【図３】図１について扉側を外して本体内部構造を示した正面図
【図４】図１について内部構造を示した平面図
【図５】図１について扉の開放状態で示した側面図
【図６】消防章を取り出して示した説明図
【図７】封入レンズ型の銀色再帰反射シートを用いた消防章の構造を示した断面図
【図８】封入レンズ型の紺色再帰反射シートを用いた消防章の構造を示した断面図
【図９】封入レンズ型の赤色再帰反射シートを用いた消防章の構造を示した断面図
【図１０】プリズム型の銀色再帰反射シートを用いた消防章の構造を示した断面図
【図１１】銀色、赤色及び紺色の再帰反射インクにより印刷した消防章の構造を示した説明図
【発明を実施するための形態】
【００２７】
［消火栓装置の概要］
図１は本発明によるトンネルに設置される消火栓装置の実施形態を示した正面図、図２は図１について消火栓扉を開放して内部構造を示した平面図、図３は図１について扉側を外して本体内部構造を示した正面図、図４は図１について内部構造を示した平面図、及び図５は図１について扉の開放状態で示した側面図である。
【００２８】
（消火栓装置の外観）
図１に示すように、消火栓装置１０は、消火栓側の筐体１２−１と消火器側の筐体１２−２に分割した構造であり、前面に化粧板１４−１，１４−２を装着しており、筐体１２−１，１２−２に対し必要な機器及び部材を組付けた後に連結固定部１５で固定した状態とし、この状態でトンネル現場に搬入して架台１１上に設置している。
【００２９】
筐体１２−１の扉開口部１６には、消火栓扉１８と給水栓扉２２を設けており、その内部がホース収納部及びバルブ類収納部としている。
【００３０】
消火栓扉１８は、扉開口部１６に対し下側の軸となる回動軸２１を中心に下向きに開閉自在に設けており、ハンドル２０を手前に引いてロックを外すことで前方に開閉することができる。
【００３１】
消火栓扉１８を扉下部の回動軸２１を軸に下向きに開放した場合、扉上端が筐体下部付近に位置し、消火栓扉１８の高さ方向の幅は、扉開口部１６の下端から筐体下端までの間隔より大きいため、消火栓扉１８は斜め下向きの開放位置に開放される。
【００３２】
消火栓扉１８の上には回動軸２３を中心に上向きに開閉する給水栓扉２２を設け、消火栓扉１８を開放した後に給水栓扉２２の下端を手前に引くことで開くことができる。
【００３３】
給水栓扉２２には「消火栓」を示す銘板を３分割して設けている。また、給水栓扉２２の右下隅には、給水栓の位置を示す標識として消防章２４を設けている。更に、扉開口１６の右下に「給水栓」と表記した給水栓銘板２９を設けている。
【００３４】
筐体１２−２の扉開口部１７の右側には通報装置扉２５を設け、ここに赤色表示灯２６、発信機２８、及び応答ランプ３０を設け、通報装置扉２５の内側には電話ジャック３１（図３参照）を設けている。
【００３５】
赤色表示灯２６は常時点灯し、消火栓装置１０の設置場所が遠方から分かるようにしている。火災時には、発信機２８を押してスイッチボタンをオンすると、発信信号が監視室の火災受信機に送信されて火災警報が出され、これに伴い応答信号が火災受信機から送られて、応答ランプ３０を点灯するようにしている。
【００３６】
扉開口部１７の左側には消火器扉３２を設け、内部を消火器収納部とし、例えば２本の消火器３７（図４参照）を収納している。消火器扉３２にはハンドル３４を設け、ハンドル３４を手前に引くとラッチが外れ、消火器扉３２は左側を回動軸として前方に開くことができる。また、消火器扉３４の下側には覗き窓３５を設け、外部から消火器の収納状態の有無を確認できるようにしている。
【００３７】
（内部構造の概要）
図２乃至図５に示すように、筐体１２−１の左側にはホース収納部３６を形成し、右側にバルブ類収納部３８を形成している。
【００３８】
ホース収納部３６には、ホースバケット構造を設けている。ホースバケット構造は、フレームパイプを屈曲して水平方向で上下に配置したフレーム部分を持つバケットフレーム４０を配置し、バケットフレーム４０及び筐体内壁で囲まれたホース収納部３６にホース４４を内巻きにして収納している。
【００３９】
バケットフレーム４０の中央から右側にオフセットした位置にホース取出口４２を形成し、ホース取出口４２から取り出したホース先端に装着したノズル４５をノズルホルダー４６に着脱自在に保持している。
【００４０】
バルブ類収納部３８には、ポンプ設備からの配管が接続される消火栓接続口４８からホース接続口４９に至る配管系統に、給水栓５０を備えた給水弁５２、消火栓弁を設けている。なお、消火栓弁の前方に消火栓弁開閉レバー５４に対応して設けた銘板を配置している。
【００４１】
消火栓弁開閉レバー５４を下向きとなる開位置に操作すると、消火栓弁が開放位置に作動され、消火用水をホース４４側に供給する。
【００４２】
同時に消火栓弁開閉レバー５４の背後に設置しているスイッチがオンし、これによってポンプ設備に信号が送られ、ポンプ設備が起動される。放水を停止する際には、消火栓弁開閉レバー５４を元の上向き位置に戻すと消火栓弁が閉じ、同時にスイッチがオフとなってポンプ設備の運転停止が行われる。
【００４３】
給水栓５０の右側手前にはポンプ起動スイッチ５６を設けている。給水栓５０、給水弁５２及びポンプ起動スイッチ５６は、一般ユーザではなく、消防隊が使用する機器として設けており、給水栓５０に相対する図１に示した給水栓扉２２の前面に、給水栓５０の位置を示す消防章２４を設けている。
【００４４】
消防隊員が給水栓５０を使用する場合には、ハンドル２０を引いてロックを外すことで、図５に示すように消火栓扉１８を斜め下向きに開き、続いて、給水栓扉２２の下に手を入れて上向きに開いてステー２７で開放位置を維持し、図３に示すように露出した給水栓５０にホースを接続し、ポンプ起動スイッチ５６をオン操作して消火ポンプを起動した後に、給水弁５２のハンドルを回して開くことで、消火ポンプから供給された消火用水を給水栓５０に接続した消防隊のホースに供給して消火活動を可能とする。
【００４５】
［消防章の構成］
（消防章の形状と色彩）
図６は図１の給水栓扉に設けた消防章を取り出して示した説明図である。図６に示すように、消防章２４は、消防吏員服制基準に準拠した形状の図形及び色彩とし、全体として例えば直径１１．５センチメートルの円形のシールであり、その中に略正６角形の赤色領域６０、赤色領域６０の中心から放射状に８方向に広がると共に赤色領域６０を囲み更に外周をリング状に囲む銀色領域６２、及び赤色領域６０の外側を囲む台地となる紺色領域６４で形成している。なお、図６にあっては、赤色領域６０を黒塗りとし、銀色領域６２を白地とし、紺色領域６４を砂地として示している。
【００４６】
（銀色再帰性シートを用いた消防章）
図７は封入レンズ型の銀色再帰反射シートを用いた消防章の構造を示した断面図である。図７に示すように、消防章２４は、銀色再帰反射シート７０−１の表面に赤色インクによる赤色印刷層７２と紺色インクによる紺色印刷層７４をスクリーン印刷等で形成して図６の赤色領域６０及び紺色領域６４とし、銀色帰反射シート７０−１が露出した部分７６を図６の銀色領域６２としている。
【００４７】
銀色再帰反射シート７０−１は、封入レンズ型の反射シート構造であり、光透過性のトップコート層７８、光透過性の微小球レンズとなるガラスビーズ８０を包埋する光透過性のビーズボンド層８２、ガラスビーズ８０の裏面に設けた光透過性のスペーサ層８４、正反射層８６、接着剤層８８、及び剥離可能な紙またはポリマーフィルムの裏材料層９０を含む。
【００４８】
ここで、スペーサ層８４、ビーズボンド層８２、またはトップコート層７８の１つ以上の中または間に染料または透明顔料を置くことで、着色シートとすることができ、本実施形態では、例えばトップコード層７８の下に銀染料または銀顔料を配置することで、銀色に着色している。
【００４９】
この銀色再帰反射シート７０−１としては、例えばスリーエム・イノベイティブ・プロパティズ・カンパニー製の６８０シリーズにおけるホワイト６８０−１０を使用することができる。ホワイト６８０−１０は白の着色であるが、再帰反射により銀白色として視認でき、消防章２４の銀色領域として使用可能である。またホワイト６８０−１０の反射輝度（代表値）は７０ｃｐｌ（ｃｄ／ｌｕｘ／ｍ2）となっている。
【００５０】
銀色再帰反射シート７０−１に入射した光線は、トップコート層７８及びビーズボンド層８２を通って、正反射層８６の近辺に入射光線を集中させるレンズの役目をするガラスビーズ８０に至り、そこで反射して入射したと同じ経路に沿って戻ってくる。
【００５１】
本実施形態の消防章２４は、銀色再帰反射シート７０−１の上に、紺色印刷層７４と赤色印刷層７２を印刷して形成するようにしたため、消防隊員が手持ちライトでトンネル内を照らしながら給水栓の所在を探している場合、ライトの光が消防章２４に当ると、消防章２４の中の銀色再帰反射シート７０−１の露出部分７６が強く反射して消防章２４の形が浮き出して見え、また、紺色印刷層７４と赤色印刷層７２の部分も、それぞれの印刷層を透過した光が裏側の銀色再帰反射シート７０で反射することで明るく輝き、消防章２４の色と模様を明確に認識可能とする反射表示が得られ、暗いトンネルの中であっても、給水栓５０の所在を迅速且つ明確に消防隊員等に知らせることを可能とする。
【００５２】
赤色印刷層７２及び紺色印刷層７４は、透明インクとすることで、銀色のトップコート層７８にあたった光が赤色印刷層７２、紺色印刷層７４を透過して消防隊員側に反射することで、消防章全面が銀、赤、紺色を識別できる状態で反射することで、暗い中でも消防隊員が消防章を視認し易くなる。また、不透明インクや透明度の低いインクを使用したとしても、トップコート層の地色部分の範囲が全体の例えば５％以上あれば消防章を視認することができる。
【００５３】
（紺色再帰性シートを用いた消防章）
図８は封入レンズ型の紺色再帰反射シートを用いた消防章の構造を示した断面図である。図８に示すように、消防章２４は、紺色再帰反射シート７０−２の表面に赤色インクによる赤色印刷層７２と銀色インクによる銀色印刷層９２をスクリーン印刷等で形成して図６の赤色領域６０及び銀色領域６２とし、紺色再帰反射シート７０−２が露出した部分７４を図６の紺色領域６４としている。
【００５４】
紺色再帰反射シート７０−２は、図７の場合と同様、封入レンズ型の反射シート構造であり、トップコート層７８、ガラスビーズ８０を包埋するビーズボンド層８２、スペーサ層８４、正反射層８６、接着剤層８８、及び裏材料層９０を含む。
【００５５】
また、スペーサ層８４、ビーズボンド層８２、またはトップコート層７８の１つ以上の中または間に紺色染料または紺色顔料を置くことで、紺色に着色している。
【００５６】
この紺色再帰反射シート７０−２としては、例えばスリーエム・イノベイティブ・プロパティズ・カンパニー製の６８０シリーズにおけるブルー６８０−７５を使用することができる。ブルー６８０−７５の反射輝度（代表値）は４ｃｐｌとなっている。
【００５７】
本実施形態の消防章２４は、紺色再帰反射シート７０−２の上に、銀色印刷層９４と赤色印刷層７２を印刷して形成するようにしたため、消防隊員による手持ちライトの光が消防章２４に当ると、消防章２４の中の紺色再帰反射シート７０−２の露出部分９４が強く反射して消防章２４の形が浮き出して見え、また、銀色印刷層９２と赤色印刷層７２の部分も、それぞれの印刷層を透過した光が裏側の紺色再帰反射シート７０−２で反射することで明るく輝き、消防章２４の色と模様を明確に認識可能とする反射表示が得られ、暗いトンネルの中であっても、給水栓５０の所在を迅速且つ明確に消防隊員等に知らせることを可能とする。
【００５８】
（赤色再帰性シートを用いた消防章）
図９は封入レンズ型の赤色再帰反射シートを用いた消防章の構造を示した断面図である。図９に示すように、消防章２４は、赤色再帰反射シート７０−３の表面に紺色インクによる紺色印刷層７４と銀色インクによる銀色印刷層９２をスクリーン印刷等で形成して図６の紺色領域６４及び銀色領域６２とし、赤色再帰反射シート７０−３が露出した部分９６を図６の赤色領域６０としている。
【００５９】
赤色再帰反射シート７０−３は、図７の場合と同様、封入レンズ型の反射シート構造であり、トップコート層７８、ガラスビーズ８０を包埋するビーズボンド層８２、スペーサ層８４、正反射層８６、接着剤層８８、及び裏材料層９０を含む。
【００６０】
また、スペーサ層８４、ビーズボンド層８２、またはトップコート層７８の１つ以上の中または間に赤色染料または赤色顔料を置くことで、赤色に着色している。
【００６１】
この赤色再帰反射シート７０−３としては、例えばスリーエム・イノベイティブ・プロパティズ・カンパニー製の６８０シリーズにおけるレッド６８０−７２を使用することができる。レッド６８０−７２の反射輝度（代表値）は１５ｃｐｌとなっている。
【００６２】
本実施形態の消防章２４は、赤色再帰反射シート７０−３の上に、銀色印刷層９４と紺色印刷層７４を印刷して形成するようにしたため、消防隊員による手持ちライトの光が消防章２４に当ると、消防章２４の中の赤色再帰反射シート７０−３の露出部分９６が強く反射して消防章２４の形が浮き出して見え、また、銀色印刷層９４と紺色印刷層７４の部分も、それぞれの印刷層を透過した光が裏側の銀色再帰反射シート７０−３で反射することで明るく輝き、消防章２４の色と模様を明確に認識可能とする反射表示が得られ、暗いトンネルの中であっても、給水栓５０の所在を迅速且つ明確に消防隊員等に知らせることを可能とする。
【００６３】
（プリズム型の再帰反射シートを用いた消防章）
図１０はプリズム型の銀色再帰反射シートを用いた消防章の構造を示した断面図である。図１０に示すように、消防章２４は、プリズム型の銀色再帰反射シート１００−１の表面に赤色インクによる赤色印刷層７２と紺色インクによる紺色印刷層７４をスクリーン印刷等で形成して図６の赤色領域６０及び紺色領域６４とし、銀色帰反射シート１００−１が露出した部分７６を図６の銀色領域６２としている。
【００６４】
プリズム型の銀色再帰反射シート１００−１は、トップコート層１０２、プリズムシート層１０４、キューブコーナ（図示せず）で囲まれるプリズム配列１０６を形成した正反射層１０８、接着剤層１１０及び剥離可能な裏材料層１１２を含む。
【００６５】
ここで、トップコート層７８及び又はプリズムシート層１０４の１つ以上の中または間に染料または透明顔料を置くことで、着色シートとすることができ、本実施形態では、例えばトップコード層１０２の下に銀染料または銀顔料を配置することで、銀色に着色している。
【００６６】
この銀色再帰反射シート１００−１としては、例えばスリーエム・イノベイティブ・プロパティズ・カンパニー製のＰＸ８４００シリーズにおけるホワイトを使用することができる。
【００６７】
プリズム型の銀色再帰反射シート１００−１はキューブコーナレンズにより入射光を光源方向に反射することにより、図７に示した封入レンズ型の銀色再帰反射シート７０−１に比べ、約２倍の反射輝度を得ることができる。
【００６８】
このプリズム型の再帰反射シートを用いた消防章２４としては、図８及び図９に示した封入レンズ型の紺色再帰反射シート７０−２及び赤色再帰反射シート７０−３の場合と同様に、プリズム型の紺色再帰反射シート及び赤色再帰反射シートを用いた構造としても良い。
【００６９】
（再帰反射インクを用いた消防章）
図１１は銀色、赤色及び紺色の再帰反射インクにより印刷した消防章の構造を示した説明図である。
【００７０】
図１１に示すように、本実施形態の消防章２４は、台紙となるシート１２０の上に、銀色再帰反射インクによる銀色印刷領域１２２、紺色再帰反射インクによる紺色印刷領域１２４及び赤色再帰反射インクによる赤色印刷領域１２６を印刷して形成し、シート１２０の下には剥離可能な紙またはポリマーフィルム等の裏材料層１２８を設けている。
【００７１】
銀色、紺色及び赤色の再帰反射インクには、光透過性の微小球レンズとなるガラスビーズ１３０を混入しており、この再帰反射インクによる銀色印刷領域１２２、紺色印刷領域１２６及び赤色印刷領域１２４のそれぞれには多数のガラスビーズ１３０が包含されていることで、封入レンズ型の再帰反射構造を形成している。
【００７２】
このため本実施形態の消防章２４にあっても、消防隊員による手持ちライトの光が消防章２４に当ると、消防章２４の中の銀色印刷領域１２２、紺色印刷領域１２６及び赤色領域１２４が反射して明るく輝き、消防章２４の色と模様を明確に認識可能とする反射表示が得られ、暗いトンネルの中であっても、給水栓５０の所在を迅速且つ明確に消防隊員等に知らせることを可能とする。
【００７３】
［本発明の変形例］
（給水栓標識）
上記の実施形態は、給水栓の所在を示す標識として消防章を表示する場合を例にとっているが、消防章以外の適宜の標識であっても良い。消防章を設置する位置は、給水栓扉の給水栓前方位置に必ずしも限るものではない。
【００７４】
（給水栓以外の標識）
上記の実施形態は給水栓の所在を示す標識を例にとっているが、これ以外に、消火栓装置に設けている他の適宜の機器の所在を示す標識を、同様に再帰反射シートを用いて構成するようにしても良い。
【００７５】
（その他）
また本発明はその目的と利点を損なうことのない適宜の変形を含み、更に上記の実施形態に示した数値による限定は受けない。トンネル用消火栓装置に限らず、ビル等の消防章が塗布される装置に本発明を適用すれば、消防章を認識しやすくすることができる。
【符号の説明】
【００７６】
１０：消火栓装置
１２−１，１２−２：筐体
１４−１，１４−２：化粧板
１８：消火栓扉
２２：給水栓扉
２４：消防章
４０：バケットフレーム
４４：ホース
４２：ホース取出口
５０：給水栓
５２：給水弁
５４：ポンプ起動スイッチ
６０：赤色領域
６２：銀色領域
６４：紺色領域
７０−１，１００：銀色再帰反射シート
７０−２：紺色再帰反射シート
７０−３：赤色再帰反射シート
７２：赤色印刷層
７４：紺色印刷層
９２：銀色印刷層
１２２：銀色印刷領域
１２４：赤色印刷領域
１２６：紺色印刷領域
【図１】
2015154888.tif 000003
【図２】
2015154888.tif 000004
【図３】
2015154888.tif 000005
【図４】
2015154888.tif 000006
【図５】
2015154888.tif 000007
【図６】
2015154888.tif 000008
【図７】
2015154888.tif 000009
【図８】
2015154888.tif 000010
【図９】
2015154888.tif 000011
【図１０】
2015154888.tif 000012
【図１１】
2015154888.tif 000013